(57)【要約】      （修正有）【課題】本体部を安定して支持すると共に締め付け部をペットが噛むのを防止するペット用頭部覆本を提供する。【解決手段】ペットＰの頭部Ｈに装着される本体部１２と、ペットＰの首Ｎに回して本体部１２を固定する固定用紐１３とを備えた。固定用紐１３は、その一端を本体部１２の前方に係止されて他端をペットＰの額Ｆ側から喉Ｔ側へ回される前方紐部１７と、その一端を前方紐部１７に接続されて他端をペットＰの喉Ｔ側から首Ｎの後側へ回されて本体部１２の後方に係止される後方紐部１８と、後方紐部１８に取り付けられペットＰの首Ｎの大きさに合わせて長さを調整する締め付け部２１とを備えた。締め付け部２１はペットＰの首Ｎの後側に設けた。【選択図】図１
0003102866.tif 000002
【実用新案登録請求の範囲】
【請求項１】
ペットの頭部に装着される本体部と、上記ペットの首に回して上記本体部を固定する固定用紐とを備え、
上記固定用紐が、その一端を上記本体部の前方に係止されて他端を上記ペットの額側から喉側へ回される前方紐部と、その一端を当該前方紐部に接続されて他端を上記ペットの喉側から首の後側へ回されて上記本体部の後方に係止される後方紐部とから構成されたことを特徴とするペット用頭部覆体。
【請求項２】
ペットの頭部に装着される本体部と、上記ペットの首に回して上記本体部を固定する固定用紐とを備え、
上記固定用紐が、上記ペットの首の大きさに合わせて長さを調整する締め付け部を備え、当該締め付け部が上記ペットの首の後側に設けられたことを特徴とするペット用頭部覆体。
【請求項３】
ペットの頭部に装着される本体部と、上記ペットの首に回して上記本体部を固定する固定用紐とを備え、
上記固定用紐が、その一端を上記本体部の前方に係止されて他端を上記ペットの額側から喉側へ回される前方紐部と、その一端を当該前方紐部に接続されて他端を上記ペットの喉側から首の後側へ回されて上記本体部の後方に係止される後方紐部と、当該後方紐部に取り付けられ上記ペットの首の大きさに合わせて長さを調整する締め付け部とを備え、
当該締め付け部が上記ペットの首の後側に設けられたことを特徴とするペット用頭部覆体。
【請求項４】
請求項１又は３に記載のペット用頭部覆体において、
上記固定用紐の前方紐部が前方右紐部と前方左紐部とから構成されると共に、上記後方紐部が後方右紐部と後方左紐部とから構成され、
上記前方右紐部と後方右紐部及び前方左紐部と後方左紐部とが互いに連結されて、前方紐部又は後方紐部のいずれか一方を締めれば全体が同時に締まることを特徴とするペット用頭部覆体。
【請求項５】
請求項１又は３に記載のペット用頭部覆体において、
上記固定用紐の前方紐部が前方右紐部と前方左紐部とから構成されると共に、上記後方紐部が後方右紐部と後方左紐部とから構成され、
上記前方右紐部と後方左紐部、及び前方左紐部と後方右紐部とが互いに連結されて、前方紐部又は後方紐部のいずれか一方を締めれば全体が同時に締まることを特徴とするペット用頭部覆体。
【請求項６】
請求項１又は３に記載のペット用頭部覆体において、
上記固定用紐の前方紐部が２本の紐で構成されて、上記ペットの頭部の左右を通って喉側へ回されると共に、上記後方紐部が２本の紐で構成されて、上記ペットの首の左右を通って後側へ回され、
上記前方紐部と上記後方紐部とが互いに１本ずつ連結されて、前方紐部又は後方紐部のいずれか一方を締めれば他方が同時に締まることを特徴とするペット用頭部覆体。
【請求項７】
請求項１又は３に記載のペット用頭部覆体において、
上記固定用紐の前方紐部が２本の紐で構成されて、上記ペットの頭部の左右を通って喉側へ回されると共に、上記後方紐部が２本の紐で構成されて、上記ペットの首の左右を通って後側へ回され、
上記前方紐部と上記後方紐部とがたすき掛け状に連結されて、前方紐部又は後方紐部のいずれか一方を締めれば他方が同時に締まることを特徴とするペット用頭部覆体。
【請求項８】
請求項１乃至７にいずれか１項に記載のペット用頭部覆体において、
上記固定用紐による本体部の回転中心を、ペットの頭部の曲率半径の中心からずれた位置に設定したことを特徴とするペット用頭部覆体。
【考案の詳細な説明】
【技術分野】
【０００１】
この考案は、ペットの頭部に取り付けられる帽子、飾り、服や合羽のフード等のペット用頭部覆体に関するものである。
【背景技術】
【０００２】
ペット用頭部覆体としては一般にペット用帽子がある。このペット用帽子の一例を図２に示す。このペット用帽子は主に、帽子本体部２と、あご紐３とから構成されている。あご紐３は帽子本体部２に２本設けられている。そして、あご紐３をペットの首側に回して結ぶことで、帽子本体部２をペットの頭部に固定している。
【０００３】
図３に示すペット用帽子も図２のペット用帽子と同様に、帽子本体部４と、あご紐５とから構成されている。あご紐５は、帽子本体部４に２本設けられ、ペットの首側に回して結ぶことで、帽子本体部４をペットの頭部に固定している。
【０００４】
また、図４に示すように、帽子本体部６に設けるあご紐７を改良したものもある。あご紐７は、帽子本体部６側で２本に分かれて、帽子本体部６と４カ所で結ばれている。あご紐７は、ペットの首側に回して結ばれて、帽子本体部６をペットの頭部に固定している。あご紐７のうち、ペットの首側端部には締め付け部８が設けられている。
【特許文献１】実開昭５８−５０６６６号公報
【考案の開示】
【考案が解決しようとする課題】
【０００５】
しかしながら、上記図２に示したペット用帽子では、本体部２はペットの頭部に２本のあご紐３で結ばれているだけなので、本体部２がペットの頭部で前後にずれたり、ペットの首の部分で結んだあご紐３をペットが噛んだりするという問題点がある。
【０００６】
上記図３に示したペット用帽子では、本体部４はペットの頭部に２本のあご紐５で結ばれているだけなので、本体部４がペットの頭部で前後にずれるという問題点がある。
【０００７】
また、上記図４に示したペット用帽子では、あご紐７が本体部６側で２本に分かれているが、この場合も本体部６がペットの頭部で前後にずれるという問題点がある。
【０００８】
さらに、ペットの首側端部に締め付け部８があるため、この締め付け部８をペットが噛むという問題点がある。
【０００９】
本考案は、上述の点に鑑みてなされたもので、本体部を安定して支持すると共に締め付け部をペットが噛むのを防止できるペット用頭部覆体を提供することを目的とする。
【課題を解決するための手段】
【００１０】
前述した課題を解決するために第１の考案に係るペット用頭部覆体は、ペットの頭部に装着される本体部と、上記ペットの首に回して上記本体部を固定する固定用紐とを備え、上記固定用紐が、その一端を上記本体部の前方に係止されて他端を上記ペットの額側から喉側へ回される前方紐部と、その一端を当該前方紐部に接続されて他端を上記ペットの喉側から首の後側へ回されて上記本体部の後方に係止される後方紐部とから構成されたことを特徴とする。
【００１１】
上記構成により、固定用紐の前方紐部がペットの額側から喉側へ回されて本体部の前方を支持し、後方紐部がペットの喉側から首の後側へ回されて本体部の前方を支持するため、本体部を頭部からズレることなく確実に支持することができる。
【００１２】
第２の考案に係るペット用頭部覆体は、ペットの頭部に装着される本体部と、上記ペットの首に回して上記本体部を固定する固定用紐とを備え、上記固定用紐が、上記ペットの首の大きさに合わせて長さを調整する締め付け部を備え、当該締め付け部が上記ペットの首の後側に設けられたことを特徴とする。
【００１３】
上記構成により、締め付け部をペットの首の後側に設けることで、ペットが締め付け部を噛むのを防止することができる。
【００１４】
第３の考案に係るペット用頭部覆体は、ペットの頭部に装着される本体部と、上記ペットの首に回して上記本体部を固定する固定用紐とを備え、上記固定用紐が、その一端を上記本体部の前方に係止されて他端を上記ペットの額側から喉側へ回される前方紐部と、その一端を当該前方紐部に接続されて他端を上記ペットの喉側から首の後側へ回されて上記本体部の後方に係止される後方紐部と、当該後方紐部に取り付けられ上記ペットの首の大きさに合わせて長さを調整する締め付け部とを備え、当該締め付け部が上記ペットの首の後側に設けられたことを特徴とする。
【００１５】
上記構成により、締め付け部を締め付けることで、後方紐部と前方紐部とが同時に締まって本体部がペットの頭部に固定される。
【００１６】
第４の考案に係るペット用頭部覆体は、第１又は第３の発明に係るペット用頭部覆体において、上記固定用紐の前方紐部が前方右紐部と前方左紐部とから構成されると共に、上記後方紐部が後方右紐部と後方左紐部とから構成され、上記前方右紐部と後方右紐部及び前方左紐部と後方左紐部とが互いに連結されて、前方紐部又は後方紐部のいずれか一方を締めれば全体が同時に締まることを特徴とする。
【００１７】
上記構成により、前方紐部又は後方紐部のいずれか一方を締めることで、全体が同時に締まって、本体部がペットの頭部に固定される。
【００１８】
第５の考案に係るペット用頭部覆体は、第１又は第３の発明に係るペット用頭部覆体において、上記固定用紐の前方紐部が前方右紐部と前方左紐部とから構成されると共に、上記後方紐部が後方右紐部と後方左紐部とから構成され、上記前方右紐部と後方左紐部、及び前方左紐部と後方右紐部とが互いに連結されて、前方紐部又は後方紐部のいずれか一方を締めれば全体が同時に締まることを特徴とする。
【００１９】
上記構成により、前方紐部又は後方紐部のいずれか一方を締めることで、全体が同時に締まって、本体部がペットの頭部に固定される。
【００２０】
第６の考案に係るペット用頭部覆体は、第１又は第３の発明に係るペット用頭部覆体において、上記固定用紐の前方紐部が２本の紐で構成されて、上記ペットの頭部の左右を通って喉側へ回されると共に、上記後方紐部が２本の紐で構成されて、上記ペットの首の左右を通って後側へ回され、上記前方紐部と上記後方紐部とが互いに１本ずつ連結されて、前方紐部又は後方紐部のいずれか一方を締めれば他方が同時に締まることを特徴とする。
【００２１】
上記構成により、前方紐部又は後方紐部のいずれか一方を締めることで、全体が同時に締まって、本体部がペットの頭部に固定される。
【００２２】
第７の考案に係るペット用頭部覆体は、第１又は第３の発明に係るペット用頭部覆体において、上記固定用紐の前方紐部が２本の紐で構成されて、上記ペットの頭部の左右を通って喉側へ回されると共に、上記後方紐部が２本の紐で構成されて、上記ペットの首の左右を通って後側へ回され、上記前方紐部と上記後方紐部とがたすき掛け状に連結されて、前方紐部又は後方紐部のいずれか一方を締めれば他方が同時に締まることを特徴とする。
【００２３】
上記構成により、前方紐部又は後方紐部のいずれか一方を締めることで、全体が同時に締まって、本体部がペットの頭部に固定される。
【００２４】
第８の考案に係るペット用頭部覆体は、第１乃至第７の発明のいずれかに係るペット用頭部覆体において、上記固定用紐による本体部の回転中心を、ペットの頭部の曲率半径の中心からずれた位置に設定したことを特徴とする。
【００２５】
上記構成により、固定用紐による本体部の回転中心を、ペットの頭部の曲率半径の中心からずれた位置に設定しているため、固定用紐を半径として本体部が回転しようとするときに、ペットの頭部が障害になって本体部の回転が抑えられる。これにより、本体部がペットの頭部に固定される。
【考案の効果】
【００２６】
（１）前方紐部と後方紐部とで本体部をペットの頭部に取り付けるため、本体部を頭部からズレることなく安定して確実に支持することができるようになる。
【００２７】
（２）締め付け部を締め付けて後方紐部と前方紐部とが同時に締まって本体部をペットの頭部に固定するようにしたので、ペット用頭部覆体をペットの頭部に容易にかつ確実に取り付けることができるようになる。
【００２８】
（３）締め付け部をペットの首の後側に設けたので、ペットが締め付け部を噛むのを防止することができ、締め付け部の破損を防止することができる。
【００２９】
（４）固定用紐による本体部の回転中心を、ペットの頭部の曲率半径の中心からずれた位置に設定したので、ペットの頭部が障害になって本体部の回転が抑えられ、本体部をペットの頭部に確実に固定することができるようになる。
【考案を実施するための最良の形態】
【００３０】
以下、本考案の実施形態に係るペット用頭部覆体ついて図面を参照しながら説明する。なお、本実施形態では、ペット用頭部覆体の一例としてペット用帽子を用いて説明する。図１は本実施形態に係るペット用帽子を示す側面断面図、図５は本実施形態に係るペット用帽子の固定用紐を示す斜視図、図６はペットがペット用帽子を着用した状態を示す側面図、図７はペットがペット用帽子を着用した状態を示す背面図、図８はペットがペット用帽子を着用した状態を示す裏面図である。
【００３１】
ペット用帽子１１は主に、本体部１２と、固定用紐１３とから構成されている。
【００３２】
本体部１２は、ペットＰの頭部Ｈに装着されて、頭部Ｈを覆うための部材である。この本体部１２は、容器状の有底筒体１４と、鍔部１５とから構成されている。有底筒体１４は、ペットＰの頭部Ｈを直接に覆うための部材で、鍔部１５との境にゴム紐が通されて伸縮するようになっている。鍔部１５は、有底筒体１４との境から周囲に広がってペットＰの頭部Ｈの周囲を覆うようになっている。
【００３３】
固定用紐１３は、ペットＰの喉Ｔ側に回して本体部１２をペットＰの頭部Ｈに固定するための部材である。この固定用紐１３は、伸縮性のあるゴム紐で構成され、締め付けることでペットＰに圧迫感を与えないで本体部１２を頭部Ｈに確実に固定できるようになっている。固定用紐１３は、その一端を本体部１２の前方に係止されて他端をペットＰの額Ｆ側から喉Ｔ側へ回される前方紐部１７と、その一端を前方紐部１７に接続されて他端をペットＰの喉Ｔ側から首Ｎの後側へ回されて本体部１２の後方に係止される後方紐部１８とから構成されている。
【００３４】
前方紐部１７は、ペットＰの頭部Ｈを左右から覆うように、前方右紐部１７Ａと前方左紐部１７Ｂとから構成されている。後方紐部１８は、ペットＰの頭部Ｈを左右から覆うように、後方右紐部１８Ａと後方左紐部１８Ｂとから構成されている。そして、前方右紐部１７Ａと後方左紐部１８Ｂ、及び前方左紐部１７Ｂと後方右紐部１８Ａとが互いに連結されている。即ち、互いにたすき掛け状に連結されている。これにより、前方紐部１７又は後方紐部１８のいずれか一方を締めれば全体が同時に締まるようになっている。
【００３５】
前方紐部１７と後方紐部１８とがたすき掛け状に連結された部分には支持筒部１９が設けられている。この支持筒部１９は、布を筒状に縫い合わせて形成されている。支持筒部１９は、前方紐部１７と後方紐部１８を覆うように装着されて、各紐部がバラバラにならないように支持している。さらに、支持筒部１９は、前方紐部１７と後方紐部１８とを固定せずに緩やかに支持して、前方紐部１７及び後方紐部１８が支持筒部１９内で自由にスライドできるようになっている。
【００３６】
支持筒部１９は本体部１２の回転中心になっている。本体部１２は、前方紐部１７と後方紐部１８とで支持されているため、前方紐部１７及び後方紐部１８を半径とする円弧上をスライドする動きをしようとする。このため、本体部１２のズレによる回転の中心となる支持筒部１９が、ペットＰの頭部Ｈの曲率半径（頭部Ｈの上側の円弧に近い形状の曲率半径）の中心Ｓと一致するとズレやすくなるため、この曲率半径の中心Ｓからずれた位置に設定している。なお、ペットＰの頭部Ｈの形状としては、図１のような、曲率半径の小さいものに限らず、もっと平たい形状等、種々の形状がある。このため、図１のように、曲率半径の中心Ｓが、本体部１２の回転中心となる支持筒部１９よりも内側に位置する場合に限らず、外側に位置する場合もある。
【００３７】
後方紐部１８には締め付け部２１が設けられている。この締め付け部２１は、ペットＰの首Ｎの大きさに合わせて固定用紐１３の長さを調整するための部材である。締め付け部２１は、ペットＰの首Ｎの後側に設けられている。締め付け部２１は、締め筒２２と、リング２３とから構成されている。締め筒２２は、折って２本にした後方紐部１８を通す筒体で構成されている。締め筒２２には、スプリングで付勢された押圧片（図示せず）が設けられている。この押圧片が後方紐部１８を押圧支持して、固定用紐１３の長さを調整している。具体的には、締め筒２２を一方の手で持ち、リング２３を他方の手で持って、互いに引き離す方向にずらすと、固定用紐１３が締まり、互いに近付ける方向にずらすと、固定用紐１３が緩むようになっている。これにより長さを調整した後、押圧片で後方紐部１８を押圧支持して、緩まないようにしている。リング２３は、締め筒２２が後方紐部１８から抜け落ちるのを防止すると共に、固定用紐１３の長さを調整するときに手で持つための部材である。
【００３８】
以上の構成の固定用紐１３は、その前方紐部１７が本体部１２の鍔部１５に２カ所で固定され、後方紐部１８が鍔部１５に設けられた挿入穴２４（図７参照）に通されている。前方紐部１７は、本体部１２の鍔部１５の前方の２カ所の位置に取り付けられて、鍔部１５の先端部分をペットＰの額Ｆの部分で支持するようになっている。後方紐部１８は、本体部１２の鍔部１５の後方に設けられた挿入穴２４に通され、この挿入穴２４に通された後方紐部１８の部分に締め付け部２１が設けられている。
【００３９】
以上のように構成されたペット用帽子１１は、次のようにしてペットＰに装着する。
【００４０】
まず、締め付け部２１を弛めて固定用紐１３を長くし、この固定用紐１３をペットＰの鼻先から喉Ｔ側に通し、本体部１２を頭部Ｈ側に通す。そして、本体部１２を頭部Ｈに装着し、固定用紐１３の前方紐部１７をペットＰの額Ｆ側から喉Ｔ側に配設させる。さらに、固定用紐１３の後方紐部１８を喉Ｔ側から首Ｎの後側に配設させる。
【００４１】
次に、締め付け部２１を締めて、固定用紐１３の長さを調整する。このとき、締め付け部２１を締めることで、後方紐部１８が締まり、たすき掛け状に連結された前方紐部１７も同時に締まる。これにより、前方紐部１７は、本体部１２をペットＰの額Ｆの部分で、目を覆わないように支持する。後方紐部１８は、本体部１２をペットＰの首Ｎの後で支持する。
【００４２】
このように、前方紐部１７が、喉Ｔの部分から額Ｆの部分に直線的に延びて本体部１２の前方を支持し、後方紐部１８が、喉Ｔの部分から首Ｎの後の部分に直線的に延びて本体部１２の後方を支持するため、全体が安定する。
【００４３】
図４の従来例においては、あご紐７が２つに分かれてペットの額側と首の後側とに通されているが、この場合、額側に延びた紐と、首の後側に延びた紐と、喉側に延びた紐とが、１カ所に集中している。即ち、側面から見た頭部形状の中央位置を中心に３つの方向へ延びている。この部分は合力の中心点となって、この部分を中心に各紐が回転しやすくなる。そして、ペットの頭部は、上記中心点を中心にした円形に近い形状（ペットの頭部の曲率半径の中心と上記中心点とがほぼ一致する状態）であるため、この中心点を中心にして延びている２本の紐で帽子本体部を支持しても、帽子本体部は上記中心点を中心にして回転しやすくなる。即ち、帽子本体部がズレ易くなる。
【００４４】
これに対して、本願発明の場合は、図１に示すように、前方紐部１７と後方紐部１８とが、喉Ｔの部分を中心にして回転しようとするが、ペットＰの頭部Ｈが回転の障害になって回転しない。即ち、本体部１２がペットＰの頭部Ｈからずれるのは、本体部１２の回転中心と頭部Ｈの曲率半径の中心とが一致又近似するためである。これに対して本実施形態では、本体部１２の回転中心は喉Ｔの部分となり、頭部Ｈの曲率半径の中心から大幅にずれた位置となる。このため、喉Ｔの部分を中心にして前方紐部１７及び後方紐部１８の長さを半径とした円に対して、ペットＰの頭部Ｈは突起（障害物）となるため、本体部１２の回転が頭部Ｈによって抑えられる。これにより、本体部１２のズレが確実に抑えられる。
【００４５】
また、締め付け部２１は、ペットＰの首Ｎの後側に配設させるため、邪魔にならず、ペットＰが噛むこともなくなる。
【００４６】
［変形例］
（１）  上記実施形態では、固定用紐１３の前方紐部１７と後方紐部１８とをたすき掛け状に連結したが、図９に示すように、前方紐部３１の前方右紐部３１Ａと後方紐部３２の後方右紐部３２Ａ、及び前方紐部３１の前方左紐部３１Ｂと後方紐部３２の後方左紐部３２Ｂとを互いに連結して、これらの境界部分にリング３３を設けてもよい。この場合も上記実施形態と同様に、前方紐部３１又は後方紐部３２のいずれか一方を締めることで全体を同時に締まることができる。
【００４７】
（２）  上記実施形態では、固定用紐１３の前方紐部１７及び後方紐部１８を２本ずつ設けたが、２本に限らず、４本以上の偶数本でもよい。この場合は通常、２本の紐に対して１つの支持筒部１９が設けられる。
【００４８】
この場合も上記実施形態同様の作用、効果を奏することができる。
【００４９】
（３）  上記実施形態では、固定用紐１３をゴム紐で構成したが、ある程度幅のある紐（伸縮性を有するものでも有しないものでもよい）でも、伸縮性のないベルト等でもよい。固定用紐１３は、上述のように、伸縮性ではなく、回転中心をペットＰの頭部Ｈの曲率半径の中心からずらすことで本体部１２のズレを抑えているため、伸縮性のないベルト等であっても本体部１２のズレを確実に抑えることができる。
【００５０】
なお、固定用紐１３としてベルトを用いる場合、締め付け部２１はバックルによって構成される。
【００５１】
（４）  上記実施形態では、ペット用頭部覆体としてペット用帽子を例に説明したが、ペット用帽子に限らず、リボン等の飾りや、服や合羽のフード等の、ペットの頭部を覆うもの全てがペット用頭部覆体に含まれる。さらにこれらは、ペットの頭部の全体を覆う場合と一部を多う場合とがある。これらのものは、ペットの頭部に装着された状態で、安定して支持する必要があるため、本願発明を適用することができる。
【図面の簡単な説明】
【００５２】
【図１】本考案の実施形態に係るペット用帽子を示す側面断面図である。
【図２】第１従来例に係るペット用帽子を示す斜視図である。
【図３】第２従来例に係るペット用帽子を示す側面図である。
【図４】第３従来例に係るペット用帽子を示す側面図である。
【図５】本考案の実施形態に係るペット用帽子の固定用紐を示す斜視図である。
【図６】本考案の実施形態に係るペットがペット用帽子を着用した状態を示す側面図である。
【図７】本考案の実施形態に係るペットがペット用帽子を着用した状態を示す背面図である。
【図８】本考案の実施形態に係るペットがペット用帽子を着用した状態を示す裏面図である。
【図９】本考案の変形例を示す斜視図である。
【符号の説明】
【００５３】
１１：ペット用帽子、１２：本体部、１３：固定用紐、１４：有底筒体、１５：鍔部、１７：前方紐部、１７Ａ：前方右紐部、１７Ｂ：前方左紐部、１８：後方紐部、１８Ａ：前方左紐部、１８Ｂ：後方左紐部１９：支持筒部、２１：締め付け部、２２：締め筒、２３：リング、２４：挿入穴、Ｐ：ペット、Ｈ：頭部、Ｔ：喉、Ｆ：額、Ｎ：首。
【図１】
0003102866.tif 000003
【図２】
0003102866.tif 000004
【図３】
0003102866.tif 000005
【図４】
0003102866.tif 000006
【図５】
0003102866.tif 000007
【図６】
0003102866.tif 000008
【図７】
0003102866.tif 000009
【図８】
0003102866.tif 000010
【図９】
0003102866.tif 000011